(57)【要約】【課題】被災地の交換機の負担を大幅に軽減しながら、被災地内の携帯電話機の伝言音声を登録管理する。【解決手段】被災地１０内の携帯電話機１１を接続する交換機１２と、交換機１２と接続し、携帯電話機１１の伝言音声を管理する伝言管理サーバ２３とを有し、交換機１２は、所定タイミングに応じて、各携帯電話機１１に対して伝言問合せ要求を順次通知する問合せ要求通知部３３を有し、携帯電話機１１は、伝言音声を登録する伝言記憶部４２と、交換機１２からの伝言問合せ要求を検出すると、伝言記憶部４２内に伝言音声が登録済みの場合、伝言音声を交換機１２経由で伝言管理サーバ２３に通知する伝言要求応答部４３とを有し、伝言管理サーバ２３は、伝言問合せ要求に対応する伝言音声を検出すると、この携帯電話機１１に対応付けて伝言音声を登録管理する伝言登録管理部６１を有している。【選択図】図１
2011015311.tif 000002
【特許請求の範囲】
【請求項１】
特定地域内の通話端末装置を交換接続する交換装置と、前記交換装置と接続し、前記通話端末装置の伝言音声を管理する伝言管理サーバとを有し、
前記交換装置は、
所定タイミングに応じて、前記特定地域内の前記通話端末装置に対して伝言問合せ要求を順次通知する問合せ要求通知部を有し、
前記通話端末装置は、
所定操作に応じて伝言音声を登録する伝言記憶部と、
前記交換装置からの前記伝言問合せ要求を検出すると、前記伝言記憶部内に伝言音声が登録済みの場合、前記伝言記憶部に登録済みの伝言音声を前記交換装置経由で前記伝言管理サーバに通知する伝言要求応答部とを有し、
前記伝言管理サーバは、
前記伝言問合せ要求に対応する前記通話端末装置の伝言音声を検出すると、前記伝言問合せ要求に関わる前記通話端末装置に対応付けて当該伝言音声を登録管理する伝言登録管理部を有することを特徴とする通話伝言システム。
【請求項２】
前記問合せ要求通知部は、
前記所定タイミングに応じて、前記伝言管理サーバ側の前記伝言登録管理部内に登録済みの伝言問合せ対象の通話端末装置がある場合、これら登録済みの通話端末装置に対して問合せ要求を順次通知することを特徴とする請求項１記載の通話伝言システム。
【請求項３】
前記特定地域以外の交換装置は、
交換接続する伝言通知先の通話端末装置から前記特定地域内の伝言通知元の通話端末装置への発信を検出すると、前記伝言通知先の通話端末装置の電話番号及び前記伝言通知元の通話端末装置の電話番号を前記伝言管理サーバに通知する電話番号通知部を有し、
前記伝言管理サーバ側の前記伝言登録管理部は、
前記電話番号通知部から前記伝言通知先及び前記伝言通知元の電話番号を検出すると、これら伝言通知先及び伝言通知元の電話番号が登録済みであるか否かを判定する電話番号登録判定部を有し、
前記電話番号登録判定部にて前記伝言通知先及び前記伝言通知元の電話番号が登録済みでない場合、前記伝言通知先及び前記伝言通知元の電話番号を登録管理することを特徴とする請求項１記載の通話伝言システム。
【請求項４】
前記伝言登録管理部は、
前記伝言問合せ要求に対応する前記通話端末装置の伝言音声を検出すると、前記伝言問合せ要求に関わる前記伝言通知先及び前記伝言通知元の電話番号に対応付けて、当該伝言音声を登録管理することを特徴とする請求項３記載の通話伝言システム。
【請求項５】
前記伝言登録管理部は、
前記電話番号通知部から前記伝言通知先及び前記伝言通知元の電話番号を検出すると、前記電話番号登録判定部にて前記伝言通知先及び前記伝言通知元の電話番号が登録済みの場合、前記伝言通知先及び前記伝言通知元の電話番号に対応する伝言音声が登録済みであるか否かを判定する伝言音声登録判定部を有し、
前記伝言音声登録判定部にて前記伝言通知先及び前記伝言通知元の電話番号に対応する伝言音声が登録済みの場合、この伝言音声を、前記伝言通知先の通話端末装置を交換接続する交換装置経由で前記伝言通知先の通話端末装置に伝送することを特徴とする請求項４記載の通話伝言システム。
【請求項６】
前記伝言登録管理部は、
前記伝言音声登録判定部にて前記伝言通知先及び前記伝言通知元の電話番号に対応する伝言音声が登録済みでない場合、前記伝言通知先の通話端末装置を交換接続する交換装置経由で前記伝言通知先の通話端末装置に伝言音声なしメッセージを伝送することを特徴とする請求項５記載の通話伝言システム。
【請求項７】
前記通話端末装置は、
前記伝言要求応答部にて前記伝言問合せ要求を検出すると、前記伝言記憶部内に伝言音声が登録済みでない場合、伝言登録要求ガイダンスを出力するガイダンス出力部を有することを特徴とする請求項１記載の通話伝言システム。
【請求項８】
特定地域内の通話端末装置を交換接続する交換装置と、前記交換装置と接続し、前記通話端末装置の伝言音声を管理する伝言管理サーバとを有する通話伝言システムの通話伝言登録方法であって、
所定タイミングに応じて、前記特定地域内の前記通話端末装置に対して伝言問合せ要求を順次通知する問合せ要求通知ステップと、
前記伝言問合せ要求を検出すると、前記通話端末装置内の伝言記憶部内に伝言音声が登録済みの場合、前記伝言記憶部に登録済みの伝言音声を前記交換装置経由で前記伝言管理サーバに通知する伝言要求応答ステップと、
前記伝言問合せ要求に対応する前記通話端末装置の伝言音声を検出すると、前記伝言問合せ要求に関わる前記通話端末装置に対応付けて同伝言音声を前記伝言管理サーバに登録管理する伝言登録管理ステップと
を含むことを特徴する通話伝言登録方法。
【発明の詳細な説明】
【技術分野】
【０００１】
本発明は、例えば、携帯電話機等の通話端末装置の伝言音声を登録すると共に、通話端末装置の伝言音声を外部から聞取り可能な通話伝言システム及び通話伝言登録方法に関する。
【背景技術】
【０００２】
従来の通話伝言システムでは、例えば、被災地内の携帯電話機等を交換接続する被災地側の交換機と、被災地以外の携帯電話機等を交換接続する被災地外側の交換機と、被災地側の交換機及び被災地外側の交換機とネットワーク接続し、災害伝言ダイヤル等で被災地内の携帯電話機の伝言音声を管理する伝言管理サーバとを有する技術が知られている。
【０００３】
従来の通話伝言システムでは、例えば、被災地内の携帯電話機からの伝言音声を登録する場合、この携帯電話機は、災害伝言ダイヤル等の特番ダイヤル発信実行後、被災地側の交換機経由で伝言管理サーバ内に、当該携帯電話機の伝言音声を登録管理する。
【０００４】
また、被災地外の電話機から被災地内の相手先の携帯電話機の伝言音声を聞取る場合、被災地外の携帯電話機は、特番ダイヤル発信実行後、ガイダンスに応じて相手先の携帯電話機の電話番号を入力する。その結果、被災地外の電話機のユーザは、相手先の携帯電話機の電話番号入力に応じて、伝言管理サーバ内の被災地側の相手先の携帯電話機に対応する伝言音声の再生出力で、被災地内の相手先の伝言音声を受聴できる。
【先行技術文献】
【特許文献】
【０００５】
【特許文献１】特開２００７−３１８６４２号公報
【特許文献２】特開２００７−２０８４９５号公報
【特許文献３】特開２００８−２８８９９１号公報
【発明の概要】
【発明が解決しようとする課題】
【０００６】
しかしながら、上記従来の通話伝言システムでは、被災後、被災地の交換装置側の通信トラフィックの増加に伴って輻輳が生じ、例えば、被災地外から被災地内の携帯電話機への通常番号発信は勿論のこと、災害伝言ダイヤル等の特番ダイヤル発信も繋がりにくく、被災地側の伝言音声の登録や再生に要する被災地側の交換機の負担は極めて大である。
【０００７】
開示の技術は、上記点に鑑みてなされたものであり、その目的とするところは、特定地域での伝言音声の登録や再生に要する特定地域側の交換機の負担を大幅に軽減できる通話伝言システム及び通話伝言登録方法を提供することにある。
【課題を解決するための手段】
【０００８】
本願の開示する通話伝言システムは、一つの態様において、特定地域内の通話端末装置を交換接続する交換装置と、前記交換装置と接続し、前記通話端末装置の伝言音声を管理する伝言管理サーバとを有し、前記交換装置は、所定タイミングに応じて、前記特定地域内の前記通話端末装置に対して伝言問合せ要求を順次通知する問合せ要求通知部を有し、前記通話端末装置は、所定操作に応じて伝言音声を登録する伝言記憶部と、前記交換装置からの前記伝言問合せ要求を検出すると、前記伝言記憶部内に伝言音声が登録済みの場合、前記伝言記憶部に登録済みの伝言音声を前記交換装置経由で前記伝言管理サーバに通知する伝言要求応答部とを有し、前記伝言管理サーバは、前記伝言問合せ要求に対応する前記通話端末装置の伝言音声を検出すると、前記伝言問合せ要求に関わる前記通話端末装置に対応付けて当該伝言音声を登録管理する伝言登録管理部を有する。
【０００９】
また、本願の開示する通話伝言登録方法は、一つの態様において、特定地域内の通話端末装置を交換接続する交換装置と、前記交換装置と接続し、前記通話端末装置の伝言音声を管理する伝言管理サーバとを有する通話伝言システムの通話伝言登録方法であって、所定タイミングに応じて、前記特定地域内の前記通話端末装置に対して伝言問合せ要求を順次通知する問合せ要求通知ステップと、前記伝言問合せ要求を検出すると、前記通話端末装置内の伝言記憶部内に伝言音声が登録済みの場合、前記伝言記憶部に登録済みの伝言音声を前記交換装置経由で前記伝言管理サーバに通知する伝言要求応答ステップと、前記伝言問合せ要求に対応する前記通話端末装置の伝言音声を検出すると、前記伝言問合せ要求に関わる前記通話端末装置に対応付けて同伝言音声を前記伝言管理サーバに登録管理する伝言登録管理ステップとを含む。
【発明の効果】
【００１０】
本願の開示する通話伝言システム及び通話伝言登録方法の一つの態様では、特定地域の交換装置主導で通話端末装置の伝言音声を登録することになるため、従来のように通話端末装置主導の伝言登録要求に関わる無駄な発信を抑制することで、特定地域内の伝言音声の登録に要する特定地域内の交換装置側の負担を大幅に軽減できるという効果を奏する。
【図面の簡単な説明】
【００１１】
【図１】図１は、実施例１の携帯電話伝言システム内部の概略構成を示すブロック図である。
【図２】図２は、実施例２の携帯電話伝言システム内部の概略構成を示すブロック図である。
【図３】図３は、実施例２の携帯電話伝言システムの要部である伝言管理サーバ内の伝言登録管理部内部の概略構成を示すブロック図である。
【図４】図４は、実施例２の携帯電話伝言システムの動作を端的に示す動作シーケンス図である。
【図５】図５は、実施例２の携帯電話伝言システムの動作を端的に示す動作シーケンス図である。
【図６】図６は、実施例２の携帯電話伝言システムの動作を端的に示す動作シーケンス図である。
【発明を実施するための形態】
【００１２】
以下に、本願の開示する通話伝言システム及び通話伝言登録方法に関わる携帯電話伝言システムの実施例を図面に基づいて詳細に説明する。なお、この実施例によりこの発明が限定されるものではない。
【実施例１】
【００１３】
図１は、実施例１の携帯電話伝言システム内部の概略構成を示すブロック図である。
【００１４】
図１に示す携帯電話伝言システム１は、例えば、被災地１０内の携帯電話機１１等を交換接続する交換機１２と、被災地外２０の電話機２１等を交換接続する交換機２２とを有している。更に、携帯電話伝言システム１は、被災地外２０に配置し、これら交換機１２，２２とネットワーク接続し、被災地１０内の携帯電話機１１等の伝言音声を登録管理する伝言管理サーバ２３を有している。
【００１５】
被災地１０内の交換機１２は、被災地１０内の携帯電話機１１等との通話路を形成する通話路スイッチ３１と、この交換機１２全体を制御する制御部３２とを有している。交換機１２内部の制御部３２は、所定タイミングに応じて、被災地１０内の携帯電話機１１に対して伝言問合せ要求を順次通知する問合せ要求通知部３３を有している。
【００１６】
また、被災地１０の携帯電話機１１は、操作部４１と、操作部４１の所定操作に応じて伝言音声を登録する伝言記憶部４２とを有している。更に、携帯電話機１１は、交換機１２からの伝言問合せ要求を検出すると、伝言記憶部４２内に伝言音声が登録済みの場合、伝言記憶部４２に登録済みの伝言音声を交換機１２経由で伝言管理サーバ２３に通知する伝言要求応答部４３を有している。
【００１７】
尚、所定操作とは、例えば、災害モード中の相手先の電話機に対する通常番号発信操作等に相当するものである。また、災害モードとは、災害時に被災地１０側の交換機１２の負担を軽減するモードであって、そのモード設定の有無は、交換機相互間の報知情報で認識するものである。
【００１８】
また、携帯電話機１１は、各種ガイダンスを出力するガイダンス出力部４４と、携帯電話機１１全体を制御する端末制御部４５とを有している。
【００１９】
また、伝言管理サーバ２３は、交換機１２からの伝言問合せ要求に対応する携帯電話機１１の伝言音声を検出すると、伝言問合せ要求に関わる携帯電話機１１の電話番号に対応付けて当該伝言音声を登録管理する伝言登録管理部６１を有している。
【００２０】
また、伝言登録管理部６１は、被災地の携帯電話機１１の電話番号毎に携帯電話機１１の伝言音声を登録管理する伝言管理テーブル６２と、この伝言管理テーブル６２を管理制御するテーブル制御部６３とを有している。
【００２１】
また、被災地外２０の交換機２２は、交換接続する電話機２１等の通話路を形成する通話路スイッチ５１と、この交換機２２全体を制御する制御部５２とを有している。
【００２２】
更に、被災地外２０の交換機２２では、災害モード中に、交換接続する電話機２１から伝言通知元である被災地１０の携帯電話機１１への通常番号発信を検出すると、被災地１０の交換機１２に接続することなく、被災地１０の携帯電話機１１からの伝言音声を要求すべく、伝言管理サーバ２３に対して伝言要求を通知するものである。尚、伝言要求には、伝言通知元である被災地１０の携帯電話機１１の電話番号を含むものである。
【００２３】
伝言管理サーバ２３側の伝言登録管理部６１は、被災地外２０の交換機２２経由で電話機２１から携帯電話機１１に関わる伝言要求を検出すると、伝言要求に関わる伝言通知元の電話番号を取得するものである。
【００２４】
更に、伝言登録管理部６１は、伝言要求に関わる伝言通知元の電話番号を取得すると、伝言通知元の電話番号に対応した伝言音声が伝言管理テーブル６２内に登録済みの場合、この伝言音声を被災地外２０の交換機２２経由で電話機２１に伝送するものである。
【００２５】
また、被災地１０の交換機１２側の問合せ要求通知部３３では、交換機１２主導の所定タイミングに応じて、自己が交換接続する携帯電話機１１に対して携帯電話機１１の伝言記憶部４２に登録済みの伝言音声の有無を問い合わせる伝言問合せ要求を順次通知するものである。
【００２６】
携帯電話機１１の伝言要求応答部４３は、交換機１２からの伝言問合せ要求を検出すると、自己の伝言記憶部４２に伝言音声が登録済みの場合、その伝言音声を被災地１０の交換機１２経由で伝言管理サーバ２３に通知するものである。
【００２７】
伝言管理サーバ２３側の伝言登録管理部６１は、携帯電話機１１の伝言音声を検出すると、同携帯電話機１１の電話番号に対応した伝言音声を登録管理するものである。
【００２８】
被災地外２０の電話機２１では、災害モード中の被災地１０の携帯電話機１１への通常番号発信操作を検出すると、被災地外２０の交換機２２と接続し、被災地１０の携帯電話機１１に関わる伝言通知元の電話番号に対応した伝言音声を登録管理する伝言管理サーバ２３と接続し、この伝言管理サーバ２３に登録済みの携帯電話機１１の伝言音声を伝送するものである。
【００２９】
次に、実施例１の携帯電話伝言システム１の動作について説明する。
【００３０】
被災地１０の携帯電話機１１は、所定操作に応じて自分の伝言音声を伝言記憶部４２に登録する。
【００３１】
更に、被災地１０の交換機１２は、交換機１２主導の所定タイミングに応じて、自己が交換接続する各携帯電話機１１に伝言問合せ要求を順次通知する。
【００３２】
各携帯電話機１１は、交換機１２からの伝言問合せ要求を検出すると、伝言記憶部４２に登録済みの伝言音声を被災地１０の交換機１２に通知する。
【００３３】
更に、被災地１０の交換機１２は、伝言問合せ要求に対応する携帯電話機１１の伝言音声を検出すると、携帯電話機１１の伝言音声を伝言管理サーバ２３に通知する。伝言管理サーバ２３は、伝言音声を検出すると、携帯電話機１１の電話番号に対応付けて伝言音声を伝言登録管理部６１の伝言管理テーブル６２内に登録管理する。
【００３４】
そして、被災地外２０の交換機２２では、被災地１０の災害モード中に、被災地外２０の電話機２１から被災地１０内の携帯電話機１１への通常番号発信操作を検出すると、この携帯電話機１１の伝言要求を伝言管理サーバ２３に通知する。
【００３５】
伝言管理サーバ２３は、携帯電話機１１の伝言要求を検出すると、伝言管理テーブル６２内に、この携帯電話機１１の伝言音声が登録済みであるか否かを判定し、携帯電話機１１の伝言音声が登録済みの場合、この伝言音声を交換機２２経由で電話機２１に通知する。
【００３６】
その結果、被災地外２０の電話機２１のユーザは、被災地１０内の携帯電話機１１の伝言音声を被災地１０の交換機１２を接続することなく、携帯電話機１１の伝言音声を受聴できる。
【００３７】
実施例１では、被災地１０内の携帯電話機１１に対して伝言問合せ要求を被災地１０の交換機１２主導で順次通知し、この交換機１２からの伝言問合せ要求を携帯電話機１１側で検出すると、伝言記憶部４２内に伝言音声が登録済みの場合、伝言記憶部４２に登録済みの伝言音声を交換機１２経由で伝言管理サーバ２３内に同携帯電話機１１に対応付けて登録管理する。その結果、被災地１０の交換機１２主導で携帯電話機１１の伝言音声を登録することになるため、交換機１２の能力を超えた通信が発生することはなく、従来のような携帯電話機１１からの伝言登録要求に関わる無駄な発信を抑制することで、被災地１０の交換機１２側の負担を大幅に軽減できる。
【００３８】
実施例１では、被災地１０の交換機１２主導の所定タイミングに応じて、伝言管理サーバ２３側の伝言登録管理部６１内に登録済みの携帯電話機１１に関わる伝言通知元の電話番号がある場合、これら登録済みの携帯電話機１１に対して伝言問合せ要求を順次通知する。その結果、伝言問合せ要求を被災地１０の交換機１２主導で順次実行することになるため、被災地１０内の携帯電話機１１のユーザが伝言を登録する機会を従来のような早い者勝ちではなく均等に与えることができる。
【実施例２】
【００３９】
次に、実施例２の携帯電話伝言システムについて説明する。図２は、実施例２の携帯電話伝言システム内部の概略構成を示すブロック図である。尚、実施例１の携帯電話伝言システム１と同一の構成については同一符号を付すことで、その重複する構成及び動作の説明については省略する。
【００４０】
図２に示す携帯電話伝言システム１Ａは、被災地１０の携帯電話機１１及び交換機１２、被災地外２０の電話機２１、交換機２２及び伝言管理サーバ２３を有している。
【００４１】
被災地外２０の交換機２２の制御部５２は、交換接続する電話機２１から被災地１０の携帯電話機１１への発信を検出する発信検出部５２Ａを有している。
【００４２】
更に、制御部５２は、発信検出部５２Ａにて電話機２１から被災地１０の携帯電話機１１への発信を検出すると、携帯電話機１１の電話番号を伝言通知元の電話番号、電話機２１の電話番号を伝言通知先の電話番号として取得すると共に、携帯電話機１１の伝言音声を要求する伝言要求を伝言管理サーバ２３に通知する伝言要求部５２Ｂを有している。尚、伝言要求は、伝言通知元及び伝言通知先の電話番号を含むものである。
【００４３】
図３は、実施例２の携帯電話伝言システム１Ａの要部である伝言管理サーバ２３内の伝言登録管理部６１内部の概略構成を示すブロック図である。
【００４４】
図３に示す伝言登録管理部６１は、伝言通知元及び伝言通知先の電話番号に対応した伝言音声を登録管理する伝言管理テーブル６２と、この伝言管理テーブル６２を管理制御するテーブル制御部６３とを有している。
【００４５】
伝言管理テーブル６２は、伝言通知元の電話番号毎に伝言通知先の電話番号を管理すると共に、伝言通知先の電話番号毎に伝言音声を管理するものである。例えば、伝言通知元である携帯電話機１１の電話番号が“Ａ”の場合、この伝言通知元の電話番号“Ａ”に対応付けて、例えば伝言通知先“Ａ１”に伝言音声“Ｘ１”、伝言通知先“Ａ２”に伝言音声“Ｘ２”、伝言通知先“Ａ３”に伝言音声“Ｘ３”を管理している。
【００４６】
更に、伝言登録管理部６１は、交換機２２側の伝言要求部５２Ｂからの伝言要求に関わる伝言通知元及び伝言通知先の電話番号を検出する電話番号検出部６４を有している。
【００４７】
伝言登録管理部６１は、電話番号検出部６４にて伝言要求に関わる伝言通知元及び伝言通知先の電話番号を検出すると、これら伝言通知元及び伝言通知先の電話番号が伝言管理テーブル６２内に登録済みであるか否かを判定する電話番号登録判定部６５を有している。
【００４８】
伝言登録管理部６１は、電話番号登録判定部６５にて伝言通知元及び伝言通知先の電話番号が伝言管理テーブル６２内に登録済みの場合、これら伝言通知元及び伝言通知先の電話番号に対応する伝言音声が伝言管理テーブル６２内に登録済みであるか否かを判定する伝言音声登録判定部６６を有している。
【００４９】
伝言登録管理部６１は、伝言音声登録判定部６６にて伝言通知元及び伝言通知先の電話番号に対応する伝言音声が伝言管理テーブル６２内に登録済みの場合、この伝言通知元及び伝言通知先の電話番号に対応する伝言音声を伝言管理テーブル６２から取得し、この取得した伝言音声を、伝言通知先の電話番号に基づき電話機２１に通知する伝言音声通知部６７を有している。
【００５０】
テーブル制御部６３は、電話番号登録判定部６５にて伝言通知先及び伝言通知元の電話番号が伝言管理テーブル６２内に登録済みでない場合、電話番号検出部６４にて検出した伝言通知元及び伝言通知先の電話番号を伝言管理テーブル６２に登録するものである。
【００５１】
更に、テーブル制御部６３は、伝言音声登録判定部６６にて伝言通知元及び伝言通知先の電話番号に対応する伝言音声が伝言管理テーブル６２内に登録済みでない場合、伝言なしメッセージを交換機２２経由で電話機２１に通知するものである。
【００５２】
次に、実施例２の携帯電話伝言システム１Ａの動作について説明する。図４乃至図６は、実施例２の携帯電話伝言システム１Ａの動作を端的に示す動作シーケンス図である。
【００５３】
図４に示す被災地外２０の電話機２１は、被災地１０の携帯電話機１１に対する通常番号発信操作を検出する（ステップＳ１１）。尚、各交換機１２，２２では、災害が発生すると、報知情報に基づき、被災地の交換機１２の負担を軽減するための災害モードの設定を認識しているものとする。
【００５４】
この電話機２１を交換接続する交換機２２は、電話機２１からの通常番号発信を検出すると（ステップＳ１２）、被災地１０の携帯電話機１１を接続する交換機１２が災害モード中のため、伝言要求部５２Ｂを通じて伝言通知先（電話機２１）及び伝言通知元（携帯電話機１１）の電話番号を含む伝言要求を伝言管理サーバ２３に通知する（ステップＳ１３）。
【００５５】
伝言管理サーバ２３内の伝言登録管理部６１は、交換機２２からの伝言要求を検出すると、電話番号検出部６４を通じて、伝言要求に関わる伝言通知元及び伝言通知先の電話番号を取得する（ステップＳ１４）。
【００５６】
伝言登録管理部６１内のテーブル制御部６３は、電話番号登録判定部６５を通じて、取得した伝言通知元及び伝言通知先の電話番号が伝言管理テーブル６２内に未登録の場合（ステップＳ１５）、これら伝言通知元及び伝言通知先の電話番号を伝言管理テーブル６２内に登録する（ステップＳ１６）。
【００５７】
テーブル制御部６３は、これら伝言通知元及び伝言通知先の電話番号を伝言管理テーブル６２内に登録すると、伝言なしメッセージを交換機２２に通知し（ステップＳ１７）、更に、この伝言なしメッセージを交換機２２から電話機２１に通知する（ステップＳ１８）。尚、伝言なしメッセージは、例えば、「伝言はありません」等の音声情報や文字情報等に相当するものである。その結果、電話機２１のユーザは、伝言なしメッセージに基づき、伝言なしを認識するものである。
【００５８】
更に、被災地１０の交換機１２内の制御部３２は、所定タイミングに応じて、交換接続する携帯電話機１１に対する伝言要求があるか否かの伝言要求問合せを伝言管理サーバ２３に通知する（ステップＳ１９）。尚、所定タイミングは、交換機１２主導のタイミングに相当するものである。
【００５９】
伝言管理サーバ２３側のテーブル制御部６３は、伝言要求問合せを検出すると、伝言管理テーブル６２内に伝言通知元及び伝言通知先に対応する伝言音声が未登録の伝言要求がある場合（ステップＳ２０）、伝言通知元及び伝言通知先の電話番号を含む伝言要求問合せ結果を被災地１０の交換機１２に通知する（ステップＳ２１）。
【００６０】
被災地１０の交換機１２側の問合せ要求通知部３３は、伝言通知元及び伝言通知先の電話番号を含む伝言要求問合せ結果を検出すると、この伝言要求問合せ結果に基づき、交換機１２主導の所定タイミングで、伝言要求のあった伝言通知元の電話番号である被災地１０の携帯電話機１１に対して伝言問合せ要求を順次通知する（ステップＳ２２）。
【００６１】
被災地１０の携帯電話機１１側の伝言要求応答部４３は、伝言問合せ要求を検出すると、伝言音声が伝言記憶部４２に未登録の場合（ステップＳ２３）、伝言記憶部４２に登録中の伝言音声がないものと判断し、伝言なしを被災地１０側の交換機１２に通知する（ステップＳ２４）。尚、被災地１０の交換機１２では、携帯電話機１１からの伝言なしを検出すると、この携帯電話機１１の伝言なしを認識し、次のタイミングで、伝言なしの携帯電話機１１に対して優先的に伝言問合せ要求を実行するものである。
【００６２】
更に、携帯電話機１１側のガイダンス出力部４４は、被災地１０の交換機１２からの伝言問合せ要求に関わる電話機２１の発信番号（伝言通知先の電話番号）を含む伝言要求ガイダンスを表示出力し（ステップＳ２５）、この処理動作を終了する。尚、伝言要求ガイダンスは、例えば、「○○○−ＸＸＸＸの電話番号から伝言問合せが来てます」等のガイダンスに相当するものである。
【００６３】
その結果、携帯電話機１１側のユーザは、伝言要求ガイダンスに基づき、伝言要求のあった伝言通知先の電話番号を認識すると共に、その伝言要求の到来を認識できる。
【００６４】
図４に示す処理では、災害モード中に被災地外２０の電話機２１から被災地１０の携帯電話機１１への通常番号発信操作を検出すると、被災地外２０の交換機２２を通じて伝言管理サーバ２３に対して伝言通知元及び伝言通知先の電話番号を含む伝言要求を通知し、伝言管理テーブル６２内に当該伝言通知元及び伝言通知先の電話番号が未登録の場合、これら電話番号を登録する。その結果、伝言管理サーバ２３では、被災地１０の携帯電話機１１への伝言要求を伝言通知先の電話番号単位で認識できる。
【００６５】
図４に示す処理では、伝言管理テーブル６２内に伝言要求がある場合、被災地１０の交換機１２を通じて、交換機１２主導の所定タイミングで伝言要求のある各携帯電話機１１に対して伝言要求問合せを順次通知する。その結果、伝言要求のある携帯電話機１１に対して均等に伝言要求問合せを実現できるため、従来のような携帯電話機からの伝言登録要求の発信動作を抑制することで被災地１０の交換機１２側の負担を大幅に軽減できる。
【００６６】
図４に示す処理では、携帯電話機１１側で伝言要求問合せを検出すると、その携帯電話機１１側の伝言記憶部４２に伝言音声が未登録の場合、伝言要求ありを示す伝言要求ガイダンスを表示出力する。その結果、携帯電話機１１のユーザは、伝言要求ガイダンスに基づき、伝言要求のあった伝言通知先の電話番号を認識できると共に、その伝言要求の到来を認識できる。
【００６７】
また、図５に示す被災地１０の携帯電話機１１は、災害モード中の場合（ステップＳ３１）、相手先への通常番号発信操作を検出すると（ステップＳ３２）、伝言音声登録ガイダンスを出力する（ステップＳ３３）。尚、伝言音声登録ガイダンスは、例えば、「輻輳しています。伝言を録音して下さい。」等のガイダンスに相当するものである。その結果、携帯電話機１１側のユーザは、伝言音声登録ガイダンスに基づき、伝言音声の登録開始を認識できる。
【００６８】
携帯電話機１１は、伝言音声登録ガイダンス出力後、伝言音声の伝言記憶部４２への登録動作を実行する（ステップＳ３４）。尚、伝言記憶部４２では、ステップＳ３２の通常番号発信操作に応じて相手先、すなわち伝言通知先の電話番号毎に伝言音声を登録できることになる。つまり、伝言記憶部４２では、伝言通知先の電話番号毎に異なる伝言音声を登録することが可能となる。
【００６９】
被災地１０の交換機１２内の制御部３２は、所定タイミングに応じて、自己が交換接続する携帯電話機１１に対する伝言要求があるか否かの伝言要求問合せを伝言管理サーバ２３に通知する（ステップＳ３５）。尚、所定タイミングとは、交換機１２主導のタイミングに相当するものである。
【００７０】
伝言管理サーバ２３側のテーブル制御部６３は、交換機１２からの伝言要求問合せを検出すると、伝言管理サーバ２３内に伝言通知元及び伝言通知先に対応する伝言音声が未登録の伝言要求がある場合（ステップＳ３６）、伝言通知元及び伝言通知先の電話番号を含む伝言要求問合せ結果を被災地１０の交換機１２に通知する（ステップＳ３７）。
【００７１】
被災地１０の交換機１２側の問合せ要求通知部３３は、伝言通知元及び伝言通知先の電話番号を含む伝言要求問合せ結果を検出すると、この伝言要求問合せ結果に基づき、伝言要求のあった伝言通知元の電話番号である被災地１０の携帯電話機１１に対して伝言問合せ要求を順次通知する（ステップＳ３８）。
【００７２】
被災地１０の携帯電話機１１側の伝言要求応答部４３は、伝言問合せ要求を検出すると、伝言記憶部４２に登録中の伝言音声がある場合（ステップＳ３９）、伝言記憶部４２に登録中の伝言音声があるものと判断し、伝言記憶部４２に登録中の伝言音声を被災地１０側の交換機１２に通知する（ステップＳ４０）。尚、この伝言音声には、伝言通知元及び伝言通知先の電話番号を含むものとする。
【００７３】
被災地１０側の交換機１２の制御部３２は、携帯電話機１１の伝言問合せ要求に対応する伝言音声を検出すると、この伝言音声を伝言管理サーバ２３に通知する（ステップＳ４１）。
【００７４】
伝言管理サーバ２３内のテーブル制御部６３は、伝言音声を検出すると、この伝言音声に関わる伝言通知元及び伝言通知先の電話番号が伝言管理テーブル６２内に登録済みであるか否かを判定する。テーブル制御部６３は、伝言通知元及び伝言通知先の電話番号がある場合、この伝言通知元及び伝言通知先の電話番号に対応した伝言音声を伝言管理テーブル６２内に登録する（ステップＳ４２）。尚、テーブル制御部６３は、伝言音声に関わる伝言通知元及び伝言通知先の電話番号がない場合、この伝言音声に関わる伝言通知元及び伝言通知先の電話番号を伝言管理テーブル６２内に登録すると共に、伝言通知元及び伝言通知先の電話番号に対応付けて伝言音声を登録するものである。
【００７５】
テーブル制御部６３は、伝言通知元及び伝言通知先の電話番号に対応付けて伝言音声を伝言管理テーブル６２内に登録すると、伝言登録完了を伝言通知先の電話機２１を管理する交換機２２に通知する（ステップＳ４３）。更に、交換機２２は、伝言登録完了を検出すると、伝言通知先の電話機２１に伝言登録完了を通知し（ステップＳ４４）、図５に示す処理動作を終了する。その結果、伝言通知先の電話機２１のユーザは、伝言登録完了に基づき、自分宛の伝言音声が登録されたことを認識できる。
【００７６】
図５に示す処理では、被災地１０の携帯電話機１１側で災害モード中に相手先への通常番号発信操作に応じて伝言音声を入力すると、相手先の電話番号、すなわち伝言通知先の電話番号に対応付けて伝言音声を伝言記憶部４２に登録する。その結果、携帯電話機１１のユーザは、伝言通知先の電話番号毎に異なる伝言音声を伝言記憶部４２に登録できる。
【００７７】
図５に示す処理では、携帯電話機１１側で交換機１２主導の伝言要求問合せを検出すると、その携帯電話機１１側の伝言記憶部４２に伝言音声が登録済みの場合、その伝言音声を交換機１２経由で伝言管理サーバ２３に通知し、伝言管理サーバ２３内の伝言管理テーブル６２では伝言通知元及び伝言通知先の電話番号に対応付けて伝言音声を登録する。その結果、被災地１０側の交換機１２主導で携帯電話機１１の伝言音声を伝言通知先の電話番号単位で登録することになるため、被災地１０側の交換機１２の負担を大幅に軽減できる。
【００７８】
図５に示す処理では、伝言管理サーバ２３の伝言管理テーブル６２内に伝言通知先及び伝言通知元の電話番号を対応付けて伝言音声を登録管理すると、伝言登録完了を伝言通知先の電話機２１に通知する。その結果、電話機２１のユーザは、伝言登録完了に基づき、自分宛の伝言音声登録完了を認識できる。
【００７９】
また、図６に示す被災地外２０の電話機２１は、被災地１０の携帯電話機１１に対する通常番号発信操作を検出すると（ステップＳ５１）、携帯電話機１１に対する通常番号発信を交換機２２に通知する（ステップＳ５２）。
【００８０】
被災地外２０の交換機２２は、携帯電話機１１に対する通常番号発信を検出すると、携帯電話機１１を交換接続する交換機１２が災害モード中のため、携帯電話機１１、すなわち伝言通知元及び、この発信に関わる電話機２１、すなわち伝言通知先の電話番号を含む伝言要求を伝言管理サーバ２３に通知する（ステップＳ５３）。
【００８１】
伝言管理サーバ２３内の伝言登録管理部６１は、伝言要求を検出すると、電話番号検出部６４を通じて、伝言要求に関わる伝言通知元及び伝言通知先の電話番号を取得する（ステップＳ５４）。
【００８２】
伝言登録管理部６１内のテーブル制御部６３は、電話番号登録判定部６５を通じて、取得した伝言通知元及び伝言通知先の電話番号が伝言管理テーブル６２内に登録済みの場合（ステップＳ５５）、伝言音声登録判定部６６を通じて、この伝言通知元及び伝言通知先の電話番号に対応した伝言音声が伝言管理テーブル６２内に登録済みであるか否かを判定する。
【００８３】
更に、テーブル制御部６３は、伝言通知元及び伝言通知先の電話番号に対応した伝言音声が伝言管理テーブル６２内に登録済みの場合（ステップＳ５６）、この伝言通知先及び伝言通知元の電話番号に対応した伝言音声を取得する（ステップＳ５７）。
【００８４】
テーブル制御部６３は、伝言通知先及び伝言通知元の電話番号に対応した伝言音声を取得すると、その伝言音声を交換機２２に通知し（ステップＳ５８）、更に、この伝言音声を交換機２２から電話機２１に再生出力する（ステップＳ５９）。
【００８５】
更に、伝言通知先の電話機２１は、伝言音声を検出すると、この伝言音声を出力することで（ステップＳ６０）、図６に示す処理動作を終了する。尚、電話機２１のユーザは、自分宛の携帯電話機１１の伝言音声を受聴できる。
【００８６】
図６に示す処理では、被災地外２０の電話機２１から災害モード中の被災地１０の携帯電話機１１への通常番号発信操作を検出すると、被災地外２０の交換機２２を通じて伝言管理サーバ２３に対して伝言通知元及び伝言通知先の電話番号を含む伝言要求を通知し、伝言管理テーブル６２内に当該伝言通知元及び伝言通知先の電話番号に対応する伝言音声が登録済みの場合、この伝言音声を電話機２１に伝送する。その結果、電話機２１のユーザは、従来の災害伝言ダイヤルのように複雑な特殊操作を要することなく、通常番号発信操作で自分宛の携帯電話機の伝言音声を簡単に受聴できる。
【００８７】
実施例２では、被災地１０内の交換機１２主導で携帯電話機１１に対して伝言問合せ要求を順次通知し、この交換機１２からの伝言問合せ要求を携帯電話機１１側で検出すると、伝言記憶部４２内に伝言音声が登録済みの場合、伝言記憶部４２に登録済みの伝言音声を交換機１２経由で伝言管理サーバ２３内に伝言通知元及び伝言通知先の電話番号に対応付けて登録管理する。その結果、被災地１０の交換機１２主導で携帯電話機１１の伝言音声を登録することになるため、交換機１２の能力を超えた通信が発生することはなく、従来のように携帯電話機からの伝言登録要求に関わる無駄な発信を抑制することで被災地１０の交換機１２側の負担を大幅に軽減できる。
【００８８】
また、実施例２では、被災地１０側の交換機１２主導のタイミングに応じて、伝言管理サーバ２３に対して伝言登録管理部６１内に登録済みの伝言通知元及び伝言通知先の電話番号がある場合、これら登録済みの伝言通知元の電話番号である携帯電話機１１に対して問合せ要求を順次通知する。その結果、伝言問合せ要求を交換機１２主導で順次実行することになるため、被災地１０内の携帯電話機１１のユーザの伝言を登録する機会を従来のような早い者勝ちではなく均等に付与できる。
【００８９】
また、実施例２では、被災地外２０の電話機２１から被災地１０内の携帯電話機１１への通常番号発信を交換機２２側で検出すると、発信に関わる伝言通知元及び伝言通知先の電話番号を伝言管理サーバ２３内に通知し、これら伝言通知元及び伝言通知先の電話番号が伝言管理サーバ２３内に登録済みであるか否かを判定する。更に、伝言管理サーバ２３側では、伝言通知元及び伝言通知先の電話番号が登録済みでない場合、これら伝言通知元及び伝言通知先の電話番号を伝言管理サーバ２３内に登録管理する。その結果、伝言管理サーバ２３では、従来のような災害時伝言ダイヤル等の特番発信等の特殊操作を要することなく、通常番号発信操作で発信番号及び着信番号を使用して伝言音声を簡単に登録管理できる。
【００９０】
また、実施例２では、所定タイミングに応じて、伝言管理サーバ２３に対して伝言登録管理部６１内に伝言通知元及び伝言通知先の電話番号が登録済みの場合、これら登録済みの伝言通知元である携帯電話機１１毎に、被災地１０内の交換機１２主導で伝言通知先の電話番号を含む問合せ要求を順次通知する。その結果、伝言問合せ要求を交換機１２主導で順次実行することになるため、被災地１０内の携帯電話機１１のユーザが伝言を登録する機会を従来のような早い者勝ちではなく均等に与えることは勿論のこと、携帯電話機１１側のユーザは、伝言通知先となる電話機２１の電話番号を認識できる。
【００９１】
また、実施例２では、伝言問合せ要求に対応する携帯電話機１１の伝言音声を伝言管理サーバ２３側で検出すると、伝言問合せ要求に関わる伝言通知元及び伝言通知先の電話番号に対応付けて伝言音声を登録管理する。その結果、伝言通知先の電話番号毎に、異なる伝言音声を登録管理できる。
【００９２】
また、実施例２では、伝言通知元及び伝言通知先の電話番号に対応する伝言音声が伝言管理サーバ２３内に登録済みの場合、この伝言音声を、伝言通知先である電話機２１を交換接続する交換機２２経由で伝言通知先の電話機２１に伝送する。その結果、被災地１０内の交換機１２との通信を抑制し、被災地外２０の交換機２２経由で伝言管理サーバ２３から伝言音声を電話機２１側で直接取得することで、被災地１０内の交換機１２側の負担を大幅に軽減できる。
【００９３】
また、実施例２では、伝言通知元及び伝言通知先の電話番号に対応する伝言音声が伝言管理サーバ２３内に登録済みでない場合、伝言通知先の電話機２１を交換接続する交換機２２経由で伝言通知先の電話機２１に伝言なしメッセージを伝送する。その結果、被災地１０内の交換機１２との通信を抑制し、被災地外２０の交換機２２経由で伝言管理サーバ２３から伝言なしメッセージを電話機２１側で直接取得することで、被災地１０内の交換機１２側の負担を大幅に軽減できると共に、伝言音声未登録を認識できる。
【００９４】
また、実施例２では、被災地１０内の交換機１２からの伝言問合せ要求に関わる伝言通知元及び伝言通知先の電話番号に対応付けて伝言音声を伝言管理テーブル６２内に登録管理すると、伝言通知先の電話機２１を交換接続する交換機２２経由で伝言通知先の電話機２１に伝言登録完了を伝送する。その結果、被災地１０内の交換機１２との通信を抑制し、被災地外２０の交換機２２経由で伝言管理サーバ２３から伝言登録完了を電話機２１側で直接取得することで、被災地１０内の交換機１２側の負担を大幅に軽減できると共に、伝言音声登録完了を認識できる。
【００９５】
また、実施例２では、被災地１０内の交換機１２からの伝言問合せ要求を携帯電話機１１側で検出すると、伝言記憶部４２内に伝言音声が登録されてない場合、伝言登録要求ガイダンスを出力する。その結果、被災地１０内の携帯電話機１１のユーザは、伝言登録要求ガイダンスに基づき、伝言音声の登録を促すことができる。
【００９６】
尚、上記実施例２では、交換機１２側の問合せ要求通知部３３を通じて、伝言問合せ結果に基づき、伝言要求があった携帯電話機１１に対して優先的に伝言問合せ要求を順次通知するようにしたが、伝言要求の有無に関係なく、自己が交換接続する携帯電話機１１に対して順次伝言問合せ要求を実行するようにしても良く、この場合、被災地１０内の携帯電話機１１のユーザに対して均等に伝言音声の登録機会を付与できる。
【００９７】
また、同様に、伝言問合せ結果に基づき、伝言要求があった携帯電話機１１に対して優先的に伝言問合せ要求を順次通知した後、伝言要求のなかった被災地１０内の携帯電話機
１１に対しても伝言問合せ要求を順次通知するようにしても良く、この場合、被災地１０内の携帯電話機１１のユーザに対して均等に伝言音声の登録機会を付与できる。
【００９８】
上記実施例２では、携帯電話機１１内の伝言記憶部４２には伝言通知先の電話番号毎に異なる伝言音声を登録可能としたが、同一の伝言音声を登録するようにしても良いことは言うまでもない。
【００９９】
上記実施例２では、図５に示すステップＳ４２にて伝言音声が伝言管理テーブル６２内に登録されると、伝言通知先の電話機２１に対して伝言登録完了を通知するようにしたが、そのまま、伝言通知先の電話機２１に伝言音声を伝送するようにしても良いことは言うまでもない。
【０１００】
また、上記実施例２では、被災地１０内の交換機１２からの伝言問合せ要求を携帯電話機１１側で検出すると、伝言記憶部４２内に伝言音声が登録済みでない場合、伝言登録要求ガイダンスを出力することで、ユーザに伝言音声の登録を促すようにしていたが、例えば、交換機１２からの伝言問合せ要求を携帯電話機１１側で検出すると、伝言記憶部４２内に伝言音声が登録済みでない場合の回数をカウントし、そのカウント回数が所定回数に到達すると、携帯電話機１１側の伝言音声登録開始操作を実行しなくても、伝言音声の伝言記憶部４２への登録動作を開始するようにしても良い。この場合、被災地１０内の携帯電話機１１のユーザは、伝言登録開始操作を実行しなくても、自動的に伝言音声の伝言記憶部４２への登録動作を開始できる。
【０１０１】
また、同様に、例えば、被災地１０内の交換機１２から携帯電話機１１の伝言通知先の電話機２１の電話番号を含む伝言問合せ要求を検出すると、伝言記憶部４２内に伝言音声が登録済みでない場合で、かつ伝言通知先の電話機２１の電話番号が特定電話番号、例えば家族の電話番号の場合、携帯電話機１１側の伝言音声登録開始操作を実行しなくても、伝言音声の伝言記憶部４２への登録動作を開始するようにしても良く。この場合、被災地１０内の携帯電話機１１のユーザは、伝言登録開始操作を実行しなくても、自動的に伝言音声の伝言記憶部４２への登録動作を開始できる。
【０１０２】
また、上記実施例では、被災地１０の交換機１２に交換接続する携帯電話機１１を例に挙げて説明したが、固定の電話機やＩＰ電話機等でも良く、同様に、被災地外２０の交換機２２に交換接続する電話機２１でも、ＩＰ電話機や携帯電話機等であっても同様の効果が得られることは言うまでもない。
【０１０３】
以上、上記実施例について説明したが、本実施例によって本願の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０１０４】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０１０５】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０１０６】
さらに、各装置で行われる各種処理機能は、ＣＰＵ（Ｃｅｎｔｒａｌ  Ｐｒｏｃｅｓｓｉｎｇ  Ｕｎｉｔ）、（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【０１０７】
以上の各実施例を含む実施形態に関し、さらに以下の付記を開示する。
【０１０８】
（付記１）特定地域内の通話端末装置を交換接続する交換装置と、前記交換装置と接続し、前記通話端末装置の伝言音声を管理する伝言管理サーバとを有し、
前記交換装置は、
所定タイミングに応じて、前記特定地域内の前記通話端末装置に対して伝言問合せ要求を順次通知する問合せ要求通知部を有し、
前記通話端末装置は、
所定操作に応じて伝言音声を登録する伝言記憶部と、
前記交換装置からの前記伝言問合せ要求を検出すると、前記伝言記憶部内に伝言音声が登録済みの場合、前記伝言記憶部に登録済みの伝言音声を前記交換装置経由で前記伝言管理サーバに通知する伝言要求応答部とを有し、
前記伝言管理サーバは、
前記伝言問合せ要求に対応する前記通話端末装置の伝言音声を検出すると、前記伝言問合せ要求に関わる前記通話端末装置に対応付けて当該伝言音声を登録管理する伝言登録管理部を有することを特徴とする通話伝言システム。
【０１０９】
（付記２）前記問合せ要求通知部は、
前記所定タイミングに応じて、前記伝言管理サーバ側の前記伝言登録管理部内に登録済みの伝言問合せ対象の通話端末装置がある場合、これら登録済みの通話端末装置に対して問合せ要求を順次通知することを特徴とする付記１記載の通話伝言システム。
【０１１０】
（付記３）前記特定地域以外の交換装置は、
交換接続する伝言通知先の通話端末装置から前記特定地域内の伝言通知元の通話端末装置への発信を検出すると、前記伝言通知先の通話端末装置の電話番号及び前記伝言通知元の通話端末装置の電話番号を前記伝言管理サーバに通知する電話番号通知部を有し、
前記伝言管理サーバ側の前記伝言登録管理部は、
前記電話番号通知部から前記伝言通知先及び前記伝言通知元の電話番号を検出すると、これら伝言通知先及び伝言通知元の電話番号が登録済みであるか否かを判定する電話番号登録判定部を有し、
前記電話番号登録判定部にて前記伝言通知先及び前記伝言通知元の電話番号が登録済みでない場合、前記伝言通知先及び前記伝言通知元の電話番号を登録管理することを特徴とする付記１記載の通話伝言システム。
【０１１１】
（付記４）前記問合せ要求通知部は、
前記所定タイミングに応じて、前記伝言管理サーバ側の前記伝言登録管理部内に登録済みの前記伝言通知先及び前記伝言通知元の電話番号がある場合、これら登録済みの伝言通知元の通話端末装置毎に、当該伝言通知先の電話番号を含む前記問合せ要求を順次通知することを特徴とする付記３記載の通話伝言システム。
【０１１２】
（付記５）前記伝言登録管理部は、
前記伝言問合せ要求に対応する前記通話端末装置の伝言音声を検出すると、前記伝言問合せ要求に関わる前記伝言通知先及び前記伝言通知元の電話番号に対応付けて、当該伝言音声を登録管理することを特徴とする付記３又は４記載の通話伝言システム。
【０１１３】
（付記６）前記伝言登録管理部は、
前記電話番号通知部から前記伝言通知先及び前記伝言通知元の電話番号を検出すると、前記電話番号登録判定部にて前記伝言通知先及び前記伝言通知元の電話番号が登録済みの場合、前記伝言通知先及び前記伝言通知元の電話番号に対応する伝言音声が登録済みであるか否かを判定する伝言音声登録判定部を有し、
前記伝言音声登録判定部にて前記伝言通知先及び前記伝言通知元の電話番号に対応する伝言音声が登録済みの場合、この伝言音声を、前記伝言通知先の通話端末装置を交換接続する交換装置経由で前記伝言通知先の通話端末装置に伝送することを特徴とする付記５記載の通話伝言システム。
【０１１４】
（付記７）前記伝言登録管理部は、
前記伝言音声登録判定部にて前記伝言通知先及び前記伝言通知元の電話番号に対応する伝言音声が登録済みでない場合、前記伝言通知先の通話端末装置を交換接続する交換装置経由で前記伝言通知先の通話端末装置に伝言音声なしメッセージを伝送することを特徴とする付記６記載の通話伝言システム。
【０１１５】
（付記８）前記伝言登録管理部は、
前記伝言問合せ要求に関わる前記伝言通知元及び前記伝言通知先の電話番号に対応付けて伝言音声を登録管理すると、前記伝言通知先の通話端末装置を交換接続する交換装置経由で前記伝言通知先の通話端末装置に伝言音声登録完了メッセージを伝送することを特徴とする付記５記載の通話伝言システム。
【０１１６】
（付記９）前記通話端末装置は、
前記伝言要求応答部にて前記伝言問合せ要求を検出すると、前記伝言記憶部内に伝言音声が登録済みでない場合、伝言登録要求ガイダンスを出力するガイダンス出力部を有することを特徴とする付記１記載の通話伝言システム。
【０１１７】
（付記１０）前記通話端末装置は、
前記伝言要求応答部にて前記伝言問合せ要求を検出すると、前記伝言記憶部内に伝言音声が登録済みでない場合の回数をカウントし、そのカウント回数が継続して所定回数に到達すると、前記伝言音声の前記伝言記憶部への登録動作を開始することを特徴とする付記９記載の通話伝言システム。
【０１１８】
（付記１１）前記通話端末装置は、
前記伝言要求応答部にて当該通話端末装置の伝言通知先の電話番号を含む伝言問合せ要求を検出すると、前記伝言記憶部内に伝言音声が登録済みでない場合で、かつ前記伝言通知先の電話番号が特定電話番号の場合、前記伝言音声の前記伝言記憶部への登録動作を開始することを特徴とする付記９記載の通話伝言システム。
【０１１９】
（付記１２）特定地域内の通話端末装置を交換接続する交換装置と、前記交換装置と接続し、前記通話端末装置の伝言音声を管理する伝言管理サーバとを有する通話伝言システムの通話伝言登録方法であって、
所定タイミングに応じて、前記特定地域内の前記通話端末装置に対して伝言問合せ要求を順次通知する問合せ要求通知ステップと、
前記伝言問合せ要求を検出すると、前記通話端末装置内の伝言記憶部内に伝言音声が登録済みの場合、前記伝言記憶部に登録済みの伝言音声を前記交換装置経由で前記伝言管理サーバに通知する伝言要求応答ステップと、
前記伝言問合せ要求に対応する前記通話端末装置の伝言音声を検出すると、前記伝言問合せ要求に関わる前記通話端末装置に対応付けて同伝言音声を前記伝言管理サーバに登録管理する伝言登録管理ステップと
を含むことを特徴する通話伝言登録方法。
【符号の説明】
【０１２０】
１  携帯電話伝言システム
１Ａ  携帯電話伝言システム
１０  被災地
１１  携帯電話機
１２  交換機
２０  被災地外
２１  電話機
２２  交換機
２３  伝言管理サーバ
３１  通話路スイッチ
３２  制御部
３３  問合せ要求通知部
４１  操作部
４２  伝言記憶部
４３  伝言要求応答部
４４  ガイダンス出力部
４５  端末制御部
５１  通話路スイッチ
５２  制御部
５２Ａ  発信検出部
５２Ｂ  伝言要求部
６１  伝言登録管理部
６２  伝言管理テーブル
６３  テーブル制御部
６４  電話番号検出部
６５  電話番号登録判定部
６６  伝言音声登録判定部
６７  伝言音声通知部
【図１】
2011015311.tif 000003
【図２】
2011015311.tif 000004
【図３】
2011015311.tif 000005
【図４】
2011015311.tif 000006
【図５】
2011015311.tif 000007
【図６】
2011015311.tif 000008